(57)【要約】  遺体の開き部を封止する遺体の封止部材は、一方の面に粘着面が設けられた細長いテープ状のフィルム部材２を備えている。フィルム部材２の粘着面の幅方向中央部分には、開き部の表面に被せられるクッション材３がフィルム部材２の長手方向に延びるように設けられている。フィルム部材２におけるクッション材３の幅方向両側には、開き部の表面に接着される粘着面が露出している。
2008062502.tif 000002
【特許請求の範囲】
【請求項１】
遺体の開き部を封止する遺体の封止部材であって、
封止部材は、一方の面に粘着面が設けられた細長いテープ状のフィルム部材を備え、
上記フィルム部材の粘着面の幅方向中央部分には、該フィルム部材の長手方向に延び、上記開き部の表面に被せられるクッション材が設けられ、
上記クッション材の幅方向両側には、上記粘着面が露出していることを特徴とする遺体の封止部材。
【請求項２】
請求項１に記載の遺体の封止部材において、
遺体の開き部の表面に沿って伸びる弾力性を備えることを特徴とする遺体の封止部材。
【請求項３】
請求項１又は２に記載の遺体の封止部材において、
クッション材は、フィルム部材の長手方向両端に亘って同一幅であることを特徴とする遺体の封止部材。
【請求項４】
請求項１又は２に記載の遺体の封止部材において、
フィルム部材の長手方向両端部には粘着面が露出しており、
クッション材は、フィルム部材の長手方向両端に亘って同一幅であることを特徴とする遺体の封止部材。
【請求項５】
請求項１ないし４のいずれか１つに記載の遺体の封止部材において、
遺体の封止部材の長さが１００ｍｍ以上で、幅が２０ｍｍ以上であることを特徴とする遺体の封止部材。
【請求項６】
請求項１ないし５のいずれか１つに記載の遺体の封止部材を使用して遺体の開き部を封止する封止方法であって、
遺体の開き部を、間隔を開けて部分的に縫い合わせて閉じ、
その後、開き部の表面に対して封止部材を貼り付けることにより、該開き部を封止することを特徴とする遺体の開き部の封止方法。
【請求項７】
請求項３に記載の遺体の封止部材を使用して遺体の開き部を封止する封止方法であって、
遺体の開き部を、間隔を開けて部分的に縫い合わせて閉じ、
その後、開き部の表面に対して封止部材を貼り付けることにより、該開き部を封止し、封止部材の端部に対しては、クッション材がなく、粘着面のみからなる封止部材を用意し、この封止部材を貼り付けて開き部の端部も封止することを特徴とする遺体の開き部の封止方法。
【請求項８】
請求項７に記載の遺体の開き部の封止方法であって、
封止部材の長さが１００ｍｍ以上であることを特徴とする遺体の開き部の封止方法。
【発明の詳細な説明】
【技術分野】
【０００１】
本発明は、遺体解剖等によって切り開いた開き部や、損傷した遺体の開き部を、そのままで封止する或いは詰め物をした後に封止する際に使用する封止部材及びその封止部材を使用した封止方法に関する。
【背景技術】
【０００２】
従来より、遺体の病理解剖等ではすべての臓器を取り出すため、解剖後の遺体復元にあたっては、臓器を取り去った後の体腔に詰め物を入れて修復し、開き部を縫い合わせて封止している。その際に用いられる一般的な詰め物としては、オガ屑、新聞紙、綿花等を組み合わせたものである。しかし、そのような詰め物を用いた場合には、体液等の吸液性や作業性が悪く、しかも、縫合部からオガ屑等が覗くなどの問題が発生する。また、縫合部からの体液の漏れ、即ち遺漏が生じた際には、遺漏に伴ってウイルスや細菌等の病原菌が周囲を汚染したり、病原菌の周囲への感染が問題となる。【０００３】
また、事故や災害に遭って内臓などが大きく損傷した遺体に対しても、上記と同様に詰め物を行い、開き部を縫合して封止する処置を行うことがあり、従って、上記と同様な問題が生じている。【０００４】
一方、特許文献１には、遺体の解剖時における廃体液を処理する技術が開示されている。この特許文献１では、廃体液を処理するために、粉末状或は粒状の吸水性樹脂からなる吸水材を水崩壊性の紙や水溶性のフィルムに包んでなる廃体液ゲル化材を用いている。この廃体液ゲル化材を、解剖時の廃体液を移した容器や体液が残留した解剖体腔内に直接投入し、廃体液ゲル化材に体液を吸収させることでゲル化させる。そして、この特許文献１では、その後処理として、解剖体腔の皮膚を縫い合わせて開き部を封止するようにしている。【０００５】
また、遺体の体腔への詰め物としては、高吸水膨潤性繊維体と非膨潤性繊維体との混合体を透水性袋体に充填してなる解剖修復材もある（例えば特許文献２参照）。この解剖修復材を遺体の体腔内に投入すると、高吸水膨潤性繊維体は体液を急速に吸収して膨潤しようとし、一方、非膨潤性繊維体は体液を吸収して収縮しようとする。この両方の繊維体の吸液バランスによって解剖修復材の膨潤が抑制されるので、遺体の体形がそれほど変化しない。この特許文献２の解剖修復材を用いた場合にも、遺体の体腔に詰め物を入れた後に、開き部を縫い合わせて封止する。【０００６】
また、遺体の開き部を縫い合わせるものとしては縫合器が知られている（例えば特許文献３参照）。この特許文献３では、Ｕ字ないしコ字形に形成された可燃材料からなる鈎針の各針軸部の先端を、遺体に差し込むことで開き部を封止するようにしている。
【特許文献１】特開平０６−１７８７７９号公報
【特許文献２】特開２００３−２９９６５８号公報
【特許文献３】特開平０６−２３３７７２号公報
【発明の開示】
【発明が解決しようとする課題】
【０００７】
ところで、遺体はやがて焼却されることから、本来、開き部を細かく綺麗に縫合する必要はない。しかしながら、詰め物が覗くのを避ける必要があるとともに、体液の遺漏を防止する必要があり、加えて、遺体の皮膚には生体のような自己回復による接合力が全く無いので、物理的に皮膚を合わせて接合しておくことが要求される。従って、現状では、遺体の開き部を緻密に縫い合わせている。この縫い合わせ作業は、多大な時間を要するのみならず、作業時に誤って針を指先に刺したり、指先が針に触れて傷付くこともあり、その際に作業者が感染する危険もある。【０００８】
また、遺体の開き部は平面的でないとともに、直線的でもなく、さらに大きさも一様ではない。このため、特許文献３に開示されている縫合器を有効に使用できる遺体の開き部は限られるとともに、縫い合わせ作業にもかなりの熟練を必要とし、簡便な封止作業とは言い難い。従って、実際の現場においては、遺体の開き部の封止作業は、従来どおり手縫いで行わているケースが殆どである。【０００９】
つまり、遺体の開き部の封止作業の現場では、作業者にあまり負担のかからない、簡便な封止作業が強く望まれている。【００１０】
本発明は、上記の点に鑑みてなされたものであり、遺体の開き部をラフに縫い合わせて、縫い合わせ部分と縫い合わせ部分との間を、粘着面を有するフィルム部材で接合することで、遺体の開き部を簡便に接合できるようにした。【００１１】
すなわち、本発明に係る封止部材では、一方の面に粘着面が設けられた細長いテープ状のフィルム部材を備え、その粘着面の中央部分にはクッション材が設けられ、クッション材の両側には粘着面が露出して残されている。この封止部材の使用方法としては、遺体の開き部をラフに縫い合わせた後に、縫い合わされた部分の間に跨るように封止部材を置いて、遺体の開き部にクッション材をあてがい、開き部の両側の皮膚表面に粘着面をあてがい、この粘着面で開き部の両側の皮膚表面を接合するようにする。このことによって、縫い合わされた部分の間の両側の皮膚同士は封止部材の粘着面で接合されるので、簡便な縫い合わせ作業としながら、遺体の開き部を確実に封止できる。【００１２】
特に、特許文献２で開示されているような高吸水膨潤性繊維体と非膨潤性繊維体とからなる詰め物を遺体の体腔に入れて、その後、遺体の開き部をラフに縫い合わせてから、上記封止部材で皮膚を接合することによって、開き部を確実に封止できるという優れた効果を発揮する。
【課題を解決するための手段】
【００１３】
具体的には、第１の発明は、遺体の開き部を封止する遺体の封止部材であって、封止部材は、一方の面に粘着面が設けられた細長いテープ状のフィルム部材を備え、上記フィルム部材の粘着面の幅方向中央部分には、該フィルム部材の長手方向に延び、上記開き部の表面に被せられるクッション材が設けられ、上記クッション材の幅方向両側には、上記粘着面が露出している構成である。【００１４】
第２の発明は、第１の発明において、遺体の開き部の表面に沿って伸びる弾力性を備える構成である。【００１５】
第３の発明は、第１又は２の発明において、クッション材は、フィルム部材の長手方向両端に亘って同一幅である構成である。【００１６】
第４の発明は、第１又は２の発明において、フィルム部材の長手方向両端部には粘着面が露出しており、クッション材は、フィルム部材の長手方向両端に亘って同一幅である構成である。【００１７】
第５の発明は、第１ないし４のいずれか１つの発明において、遺体の封止部材の長さが１００ｍｍ以上で、幅が２０ｍｍ以上である構成である。【００１８】
第６の発明は、第１ないし５のいずれか１つの発明に係る遺体の封止部材を使用して遺体の開き部を封止する封止方法であって、遺体の開き部を、間隔を開けて部分的に縫い合わせて閉じ、その後、開き部の表面に対して封止部材を貼り付けることにより、該開き部を封止する構成である。【００１９】
第７の発明は、第３の発明に係る遺体の封止部材を使用して遺体の開き部を封止する封止方法であって、遺体の開き部を、間隔を開けて部分的に縫い合わせて閉じ、その後、開き部の表面に対して封止部材を貼り付けることにより、該開き部を封止し、封止部材の端部に対しては、クッション材がなく、粘着面のみからなる封止部材を用意し、この封止部材を貼り付けて開き部の端部も封止する構成である。【００２０】
第８の発明は、第７の発明において、封止部材の長さが１００ｍｍ以上である構成とする。【００２１】
また、本発明において、開き部とは、遺体の病理解剖等の際に切開して臓器を取り出した後の体腔が口を開けた部分、体腔に詰め物をした後に口を開けた部分、事故や災害に遭って生じた傷口の開いた部分等である。この開き部の生じた原因などは特に限定されない。また、本発明において、開き部の部位は腹部、胸部、背中等があるが、特に限定されず、開き部の大きさや形状も特に限定されない。【００２２】
また、本発明において、縫い合わせとは、糸やＵ字状針等を使って道具で開き部を縫い合わせることや、糸等を使って手縫いで縫い合わせることを含む。
【発明の効果】
【００２３】
第１の発明によれば、遺体の開き部を封止する際にラフな縫い合わせで良く、縫い合わせ作業を大幅に簡単にでき、且つ封止部材の粘着面によって遺体の開き部を確実に封止できる。【００２４】
第２の発明によれば、封止部材が弾力性を有するので、遺体の皮膚表面の形状や開き部の形状が凸凹形状や非直線形状等になっていても、封止部材を遺体の皮膚に確実に接着して開き部を封止できる。【００２５】
第３の発明によれば、開き部の両端部の皮膚も確実に接合できる。【００２６】
第４の発明によれば、連続したフィルム部材の粘着面にクッション材を重ねることによって、所定長さの封止部材を生産することができるので、生産性に優れる。【００２７】
また、連続したフィルム部材の粘着面に、クッション材も連続して重ねて接合し、連続した封止部材を得ることもできる。【００２８】
また、遺体の開き部の長さに合わせて、封止部材を切断して使用することも簡単にできる。その場合に、開き部の両端部には封止部材の粘着面がない状態になるが、この部分も接合する必要があれば、粘着面のみからなり、クッション材のない別の封止部材をこの部分に貼るようにしても良い。【００２９】
第５の発明によれば、封止部材が適切な長さとなるので、取扱いが容易で、遺体の開き部を封止する作業が確実に行える。【００３０】
第６の発明によれば、遺体の開き部を封止する際にラフな縫い合わせで良く、縫い合わせ作業を大幅に簡単にでき、且つ封止部材の粘着面によって遺体の開き部を確実に封止できる。【００３１】
第７の発明によれば、遺体の開き部の長さが短い場合には、封止部材を適切な長さに切断して皮膚に貼ることで対応できる。この場合、開き部の両端にはクッション材がない状態となるので、粘着面のみからなる封止部材を貼ることで、遺体の開き部を封止できる。逆に、遺体の開き部の長さが長い場合には、複数の封止部材を連続して開き部に貼ることで開き部の大部分を封止できる。そして、開き部の両端にはクッション材がなく、粘着面のみからなる封止部材を貼ることで、遺体の開き部を封止できる。【００３２】
第８の発明によれば、遺体の開き部の長さが短い場合には、封止部材を適切な長さに切断して皮膚に貼ることで対応できる。一方、遺体の開き部の長さが長い場合には、複数の封止部材を連続して開き部に貼り合わせることで開き部の大部分を封止できる。そして、開き部の両端には、クッション材がなく、粘着面のみからなる封止部材を貼ることで、遺体の開き部を封止できる。
【図面の簡単な説明】
【００３３】
【図１】本発明の実施形態１に係る封止部材の平面図を示す。
【図２】図１の封止部材の断面図を示す。
【図３】実施形態１で使用する別の封止部材の平面図を示す。
【図４】遺体の開き部を縫い糸でラフに縫い合わせた状態を説明する概略図を示す。
【図５】封止部材を貼った状態を説明する概略図である。
【図６】別の封止部材を上に貼った状態を説明する概略図である。
【図７】実施形態３に係る図１相当図である。
【図８】実施形態３に係る図２相当図である。
【符号の説明】
【００３４】
Ａ      遺体
Ｂ      開き部
Ｃ      表面
Ｄ      縫い糸
１      封止部材
２      フィルム部材
２ａ    粘着面
３      クッション材
４      剥離材
【発明を実施するための最良の形態】
【００３５】
以下、本発明の実施形態を図面に基づいて詳細に説明する。尚、以下の好ましい実施形態の説明は、本質的に例示に過ぎず、本発明、その適用物或いはその用途を制限することを意図するものではない。
（実施形態１）
本発明の実施形態１に係る封止部材１について図面に基づいて説明する。図１は実施形態１に係る封止部材１の正面図を示し、図２は封止部材１の断面図を示す。図１に示すように、封止部材１は、片面（一方の面）に粘着面２ａを有する細長いテープ状のフィルム部材２を備えている。このフィルム部材２は、遺体Ａの開き部Ｂの表面Ｃに沿って伸びる弾力性を備え、開き部Ｂの表面Ｃに貼り付け易くなっている。封止部材１の長さＬや幅Ｍは開き部Ｂの長さや形状、使用状態等によって異なるが、取扱い易さや生産性を考慮すると、長さＬは１００ｍｍ以上で、幅Ｍは２０ｍｍ以上であることが好ましく、特に、長さＬは２００ｍｍ以上１０００ｍｍ以下で、幅Ｍは４０ｍｍ以上１００ｍｍ以下であることが好ましい。フィルム部材２としては、生体の傷口などに使用されている通常の貼り合わせ部材が使用可能である。【００３６】
また、フィルム部材２の粘着面２ａの幅方向中央部分には、フィルム部材２の長手方向に同一幅を有するクッション材３が貼り付けられており、遺体Ａの開き部Ｂの合わせ部分に柔らかく接触するようになっている。クッション材３としては、発泡ポリウレタン等の発泡材が適用可能である。クッション材３の長さｌはフィルム部材２の長さＬと同じであり、クッション材３の幅ｍはフィルム部材２の幅Ｍの１／４以上３／５以下が好ましい。【００３７】
符号４は紙等からなる剥離材である。これら２枚の剥離材４、４は、フィルム部材２の粘着面２ａに剥離可能に接着され、クッション材３の上に被さって重なるように設けられている。なお、剥離材４の幅方向両端４ｂがフィルム部材２の粘着面２ａの幅方向両端から少しはみ出しているが、生産上の都合でこのようになっているだけであり、使用に際しては関係無く、剥離材４の幅はフィルム部材２の幅と同じであっても良い。【００３８】
図２に示すように、剥離材４が紙材からなり、フィルム部材２よりも厚くて硬いので、剥離材４が平面となり、フィルム部材２のほうが、クッション材３及び剥離材４に沿うように折れ曲がった形状になっているが、この形状に限られるものではなく、剥離材４をフィルム部材２よりも薄くて柔らかいものにすれば、フィルム部材２が平面的な形状となり、剥離材４がクッション材３とフィルム部材２に沿うような形状になることもあり、また、その中間状態で、フィルム部材２及び剥離材４の両方が互いに少し折れ曲がるような形状になることもある。【００３９】
なお、この実施形態１では、フィルム部材２の幅方向中央にクッション材３がフィルム部材２の長さと同じ長さで設けられているので、フィルム部材２とクッション材３とを連続して生産でき、適切な長さで切断したものを用意できる。この実施形態１では、そのように封止部材１を適切な長さで切断しているが、切断せずにフィルム部材２とクッション材３とを連続してロール状に巻いたものを用意するようにしても良い。【００４０】
図３は、遺体Ａの開き部Ｂの両端に貼り付ける別の封止部材２１であって、片面（一方の面）に封止部材１と同じ粘着面が設けられている。この封止部材２１は略矩形状とされている。しかし、この封止部材２１は、封止部材１とは異なり、粘着面にはクッション材が設けられていない。この封止部材２１の幅は、封止部材２の幅とほぼ同じであり、長さはこの封止部材２１の幅と略同じで良い。【００４１】
次に、上記封止部材１の使用要領について、図４ないし図６に基づいて説明する。【００４２】
図４に示すように、解剖した遺体Ａの開き部Ｂに詰め物をした後、開き部Ｂの両側の表面Ｃを合わせて開き部Ｂを閉じて縫い糸Ｄを使って開き部Ｂをラフに、例えば５０ｍｍ間隔で手縫いで縫い合わせる。この状態から、図５に示すように、開き部Ｂの表面Ｃに封止部材２を貼り付ける。具体的には、剥離材４を剥がした後、或いは剥がしながら、クッション材３を開き部Ｂの合わせ部分にあてがうにして、クッション材３の両側の粘着面２ａを開き部Ｂの両側の表面Ｃに貼り付ける。その後、図６に示すように、開き部Ｂの長手方向両端部には、別の封止部材２１を封止部材１の端部の上及び表面Ｃに貼り付ける。このようにして、遺体Ａの開き部Ｂを封止する。【００４３】
この実施形態１では、遺体Ａの開き部Ｂに対して、ラフに縫い合わせるだけで良いので、縫い合わせ作業が容易であり、熟練者でなくても縫い合わせできるメリットを有する。その上、短時間で処理できる。封止部材１で開き部Ｂを接着するので、簡単な作業で確実に開き部Ｂを封止できる。【００４４】
特に、開き部Ｂが小さく殆ど詰め物をしなくて良い場合のように、自然な状態で殆ど開き部Ｂが合わさった状態になっているものでは、封止部材１を貼るだけで開き部Ｂを封止できる。また、自然な状態で開き部Ｂが開いている場合には、強制的に皮膚を引き寄せて合わせて、その状態を保持できるようにする必要があるが、このような状態の開き部Ｂに対しては、封止部材１を貼り合わせただけでは、開き部Ｂを閉じた状態で保持できない可能性が有る。この実施形態では、封止部材１を貼る前に開き部Ｂをラフに縫い合わせているので、このような状態の開き部Ｂであっても封止できる。このように、ラフな縫い合わせ作業と貼り付け作業とで開き部Ｂを封止するようにしているので、作業が簡単であって開き部Ｂを確実に封止できる。
（実施形態２）
次に、図７に基づいて、本発明の実施形態２に係る封止部材１１について説明する。実施形態２の説明では、実施形態１と異なる部分のみを説明し、実施形態１と同じ部分の説明は省略する。【００４５】
実施形態２の封止部材１１は、実施形態１のフィルム部材２と同様に、片面に粘着面を備えた細長いフィルム部材１２を有する。このフィルム部材１２の粘着面の幅方向中央にクッション材１３が貼り付けられている。実施形態２のクッション材１３が、実施形態１のクッション材３と異なっている点は、フィルム部材１２の長手方向両端部まで延びておらず、長手方向両端部には粘着面が露出して残されている点である。【００４６】
上記封止部材１１を使用する際には、遺体Ａの開き部Ｂをラフに縫い合わせた後に、この封止部材１１を開き部Ｂに貼り付けるだけでよく、別の封止部材２１を貼り付ける作業を省略できるメリットを有する。なお、実施形態１では、封止部材１を開き部Ｂの長さに応じて適切な長さに切断したり、不足する場合には封止部材１を付け足したりすることで対応できるが、実施形態２の封止部材１１では、開き部Ｂの長さに関係なく、この封止部材１１を貼り付けるようにする。
（実施形態３）
次に、図８に基づいて、本発明の実施形態３に係る封止部材１１について説明する。実施形態３の説明では、実施形態１と異なる部分のみを説明し、実施形態１と同じ部分の説明は省略する。【００４７】
実施形態３の封止部材３１は、フィルム部材１と同様なフィルム部材３２を備え、フィルム部材３２の粘着面にはクッション材３と同様なクッション材３３が貼り付けられている。剥離材３４は、フィルム部材３２の幅寸法と同じ幅に形成され、実施形態１と同様にクッション材３３の上で重なって被せられている。また、剥離材３４がフィルム部材３２よりも薄くて柔らかいので、剥離材３４が折れ曲がっている。【００４８】
上記実施形態２、３のものも、実施形態１と同様に、簡単な作業で確実に開き部Ｂを封止できる。
【産業上の利用可能性】
【００４９】
本発明の封止部材は、遺体を解剖してできた開腹部等の開き部や事故死等でできた開き部を封止する際に適用できる。
【図１】
2008062502.tif 000003
【図２】
2008062502.tif 000004
【図３】
2008062502.tif 000005
【図４】
2008062502.tif 000006
【図５】
2008062502.tif 000007
【図６】
2008062502.tif 000008
【図７】
2008062502.tif 000009
【図８】
2008062502.tif 000010
【国際調査報告】
2008062502.tif 000011
2008062502.tif 000012